(57)【要約】【課題】ボールねじのナットを小型化すること。【解決手段】ナット本体２の端部に当該ナット本体２と同軸の取付用ねじ３ａが形成された取付用ねじ部３を備えるようにした。そのため、使用する機械等に取付用ねじ３ａと螺合するねじ部を予め設けておき、そのねじ部にナット１の取付用ねじ部３を螺合することで、ナット本体２を前記機械等に固定することができる。そのため、例えば、ナット本体２の端部にフランジを設け、そのフランジで機械等に固定する方法に比べ、ナット１を小型化することができる。【選択図】  図１
2007211896.tif 000002
【特許請求の範囲】
【請求項１】
内部循環式、循環こま式、又はエンドキャップ式のボールねじのナットであって、
ナット本体の端部に当該ナット本体と同軸の取付用ねじが形成された取付用ねじ部を備えたことを特徴とするボールねじのナット。
【請求項２】
前記取付用ねじ部の外径は、前記ナット本体の外径以下であることを特徴とする請求項１に記載のボールねじのナット。
【請求項３】
前記ナット本体は、円柱形であることを特徴とする請求項１又は２に記載のボールねじのナット。
【請求項４】
請求項１から３のいずれか１項に記載のナットを備えたことを特徴とするボールねじ。
【発明の詳細な説明】
【技術分野】
【０００１】
本発明は、工作機械や産業機械等に使用されるボールねじのナット、及びボールねじに関する。
【背景技術】
【０００２】
従来、この種のボールねじとしては、例えば、外周面にねじ溝を有するねじ軸と、内周面にそのねじ溝に対応する対向するねじ溝を有するナットと、それらねじ軸及びナットのねじ溝の間に形成された負荷軌道を転動する複数のボールと、を備え、ねじ軸を回転することで、ボールの転動を介してナットを軸方向に移動させるものがある。
このようなボールねじにあっては、通常、ナットの端部にフランジが設けられ、そのフランジが産業機械等にボルト固定されている（例えば、特許文献１参照）。
【特許文献１】特開平０６―３００１０７号公報
【発明の開示】
【発明が解決しようとする課題】
【０００３】
しかしながら、上記従来の技術にあっては、ナットの端部にフランジ、つまり、ナットの周囲から半径方向の外側に突き出した板状の部材を設けるようになっているため、ナットの外径が全体として大きくなってしまうという問題があった。
本発明は、上記従来の技術の未解決の課題を解決することを目的とするものであって、外形を小型化可能なボールねじのナット、及びボールねじを提供することを課題とする。
【課題を解決するための手段】
【０００４】
上記課題を解決するために、本発明のボールねじのナットは、内部循環式、循環こま式、又はエンドキャップ式のボールねじ（循環チューブ式以外のボールねじ）のナットであって、ナット本体の端部に当該ナット本体と同軸の取付用ねじ（雄ねじ又は雌ねじ）が形成された取付用ねじ部を備えたことを特徴とする。
また、前記取付用ねじ部の外径は、前記ナット本体の外径以下としてもよい。
さらに、前記ナット本体は、円柱形（フランジ等、外側へ大きく突き出したものがない形状）としてもよい。
【０００５】
また、本発明のボールねじは、請求項１から３のいずれか１項に記載のナットを備えたことを特徴とする。
このような構成とすれば、使用する機械等に取付用ねじと螺合するねじ部を予め設けておき、そのねじ部にナットの取付用ねじを螺合することで、ナット本体を前記機械等に固定することができる。そのため、例えば、ナット本体の端部にフランジを設け、そのフランジで機械等に固定する方法に比べ、ナットを小型化することができる。
【発明を実施するための最良の形態】
【０００６】
以下、本発明のボールねじのナットの一実施形態を図面に基づいて説明する。
即ち、ボールねじは、外周面にねじ溝を有するねじ軸と、内周面にそのねじ溝に対応する対向するねじ溝を有するナットと、それらねじ軸及びナットのねじ溝の間に形成された負荷軌道を転動する複数のボールと、を備える。そして、ボールネジは、ねじ軸を回転することで、ボールの転動を介してナットを軸方向に移動させるようになっている。
【０００７】
図１は、本実施形態のナットの概略構成を示す構成図（正面図、側面図）である。
この図１に示すように、ナット１は、複数のボールが負荷軌道を循環するように案内する循環こま２ａが形成された中空のナット本体２と、機械等にナット本体２を固定するための取付用ねじ３ａが形成された中空の取付用ねじ部３とを備える。
具体的には、取付用ねじ部３は、ナット１の端部に当該ナット１と同軸に設けられ、使用する機械等に設けられるねじ部（雌ねじ）と螺合する雄ねじ３ａが形成されている。
【０００８】
また、取付用ねじ部３の外径は、ナット１の外径より僅かに小さくなっている。
このように、本実施形態のボールねじ１にあっては、ナット本体２の端部に当該ナット本体２と同軸の取付用ねじ３ａが形成された取付用ねじ部３を備えるようにした。そのため、使用する機械等に取付用ねじ３ａと螺合するねじ部を予め設けておき、そのねじ部にナット１の取付用ねじ部３を螺合することで、ナット本体２を前記機械等に固定することができる。そのため、例えば、ナット本体２の端部にフランジを設け、そのフランジで機械等に固定する方法に比べ、ナット１を小型化することができる。
【０００９】
また、例えば、フランジを設ける方法に比べ、生産コストの低減、使用する機械等のコンパクト化、及び当該機械等の取り付け部の簡略化を図ることができる。
さらに、ナット１の円周方向のバランスを向上することができ、ナット１を回転させて使用する用途において、回転時の振れ回りを抑制防止することができる。
なお、本発明のボールねじのナット、及びボールねじは、上記実施の形態の内容に限定されるものではなく、本発明の趣旨を逸脱しない範囲で適宜変更可能である。
【００１０】
上記実施形態では、複数のボールが負荷軌道を循環するように循環こま２ａで案内する循環こま式のボールねじに適用する例を示したが、これに限られるものではない。例えば、図２に示すように、複数のボールが負荷軌道を循環するように循環部品５で案内する内部循環式やエンドキャップ式等、チューブ式以外のボールねじに適用することができる。
【００１１】
なお、チューブ式ボールねじにあっては、ナット１の外径を小さくすると、循環チューブが外径より飛び出した形状となるため、使用する機器側の加工が複雑となってしまう。
また、取付用ねじ３ａとして雄ねじを形成する例を示したが、これに限られるものではない。使用する機器等のねじ部（取付用ねじ３ａと螺合させる固定用ねじ）の形状に応じて形成すればよく、例えば、図３及び図４に示すように、前記使用する機器等のねじ部が雄ねじである場合には、取付用ねじ３ａとして雌ねじを形成するようにしてもよい。
【図面の簡単な説明】
【００１２】
【図１】本発明のボールねじのナットの一実施形態の概略構成を示す構成図であり、（ａ）は正面図であり、（ｂ）は側面図である。
【図２】本発明の変形例を説明するための説明図であり、（ａ）は正面図であり、（ｂ）は側面図である。
【図３】本発明の変形例を説明するための説明図であり、（ａ）は正面図であり、（ｂ）は側面図である。
【図４】本発明の変形例を説明するための説明図であり、（ａ）は正面図であり、（ｂ）は側面図である。
【符号の説明】
【００１３】
１はナット、２はナット本体、２ａは循環こま、３は取付用ねじ部、３ａは取付用ねじ、５は循環部品
【図１】
2007211896.tif 000003
【図２】
2007211896.tif 000004
【図３】
2007211896.tif 000005
【図４】
2007211896.tif 000006